(57)【要約】      （修正有）【課題】はさみの使用者が自分の髪を切る場合に使い易く、かつ髪を効率的に切ることができるはさみを提供する。【解決手段】支点部Ｋを中心に回動可能となっている一対の刃２，３と、人間の手の指を差し入れ可能な指入れ孔１２を有するホルダー１１と、を備えるはさみ１において、支点部Ｋの高さ方向の中心がホルダー１１の指入れ孔１２の高さ方向の中心Ｃに対して高さ方向にずれて配置されている。【選択図】図１
2011110163.tif 000002
【特許請求の範囲】
【請求項１】
支点部を中心に回動可能となっている一対の刃と、人間の手の指を差し入れ可能な孔を有するホルダーと、を備えるはさみにおいて、
上記支点部の高さ方向の中心が上記ホルダーの上記孔の高さ方向の中心に対して高さ方向にずれて配置されていることを特徴とするはさみ。
【請求項２】
請求項１記載のはさみにおいて、
前記ずれは、７〜１２ｍｍとされ、前記ホルダーの孔の中心とその中心に近い側の前記支点部の端面との距離が５〜１０ｍｍとされていることを特徴とするはさみ。
【請求項３】
請求項１または２記載のはさみにおいて、
前記ホルダーは、前記支点部の位置から前記刃の刃先までの距離の１／５以上、前記支点部の位置から上記刃先方向に離れた位置に各刃に１個のみ取り付けられていることを特徴とするはさみ。
【請求項４】
請求項１から３のいずれか１項に記載のはさみにおいて、
前記支点部から前記刃の刃先までの間であって前記支点部に近い側には、前記刃の開閉動作の方向と直交する方向に前記刃が折り曲げられた段部が形成され、上記段部よりも上記刃先側に、前記ホルダーが取り付けられていることを特徴とするはさみ。
【請求項５】
請求項１から４のいずれか１項に記載のはさみにおいて、
前記ホルダーは、前記一対の刃を閉じたときに対向する位置にそれぞれ取り付けられており、前記ホルダーの上記対向する対向面には、上記対向面同士が所定の距離以上近づかないようにする突起状のストッパが形成されていることを特徴とするはさみ。
【請求項６】
請求項１から５のいずれか１項に記載のはさみにおいて、
前記刃の開閉動作に伴う前記ホルダーの動作方向と直交する方向を、前記ホルダーの厚さ方向とした場合、全ての前記ホルダーの厚さ方向の上端面が同一平面上にあり、かつ下端面も同一平面上にあり、前記刃の厚さ方向の中心は、上記下端面または上記上端面から前記ホルダーの厚さの１／１０〜１／２の位置に取り付けられていることを特徴とするはさみ。
【発明の詳細な説明】
【技術分野】
【０００１】
本発明は、はさみに関する。
【背景技術】
【０００２】
はさみとして、中指と人差し指を使用するものが知られている（特許文献１参照）。図１０に示すように、このはさみ５０は、中指と人差し指をバンド５１，５２に挿入した状態で使用するときに、くし５３がついたものである。このはさみ５０は、中指と人差し指を水平に動かすことで２つの刃５４，５４を支点５５を中心にして動かし、髪を切るものであり、また、くし５３によって髪を梳かすものである。
【先行技術文献】
【特許文献】
【０００３】
【特許文献１】特開２００６−２９７０００号公報
【発明の概要】
【発明が解決しようとする課題】
【０００４】
しかしながら、特許文献１に記載されているはさみは、図１０に示すようにはさみ５０の支点５５が中指と人差し指の根元の間に位置している。そのため、はさみ５０によって髪を切る場合には、支点５５の部分やその近傍部分は、髪を切る領域としては使用できず、効率が悪いものとなっている。しかも、両指の開き状態と、はさみ５０の刃５４，５４の開き状態は一致せず、指で髪を切る感覚が得られず、はさみ５０の使用者が自分の髪を切る場合は使い勝手の悪いものとなっている。
【０００５】
そこで、本発明の目的は、はさみの使用者が自分の髪を切る場合に使い易く、かつ髪を効率的に切ることができるはさみを提供することである。
【課題を解決するための手段】
【０００６】
上記目的を達成するため、本発明のはさみは、支点部を中心に回動可能となっている一対の刃と、人間の手の指を差し入れ可能な孔を有するホルダーと、を備えるはさみにおいて、支点部の高さ方向の中心がホルダーの孔の高さ方向の中心に対して高さ方向にずれて配置されている。
【０００７】
ここで、ずれは、７〜１２ｍｍとされ、ホルダーの孔の中心とその中心に近い側の支点部の端面との距離が５〜１０ｍｍとされていることが好ましい。
【０００８】
また、ホルダーは、支点部から刃の刃先までの距離の１／５以上、支点部の位置から刃先方向に離れた位置に各刃に１個のみ取り付けられていることが好ましい。
【０００９】
また、支点部から刃の刃先までの間であって支点部に近い側には、刃の開閉動作の方向と直交する方向に刃が折り曲げられた段部が形成され、段部よりも刃先側に、ホルダーが取り付けられていることが好ましい。
【００１０】
また、ホルダーは、一対の刃を閉じたときに対向する位置にそれぞれ取り付けられており、ホルダーの対向する対向面には、対向面同士が所定の距離以上近づかないようにする突起状のストッパが形成されていることが好ましい。
【００１１】
また、刃の開閉動作に伴うホルダーの動作方向と直交する方向を、ホルダーの厚さ方向とした場合、全てのホルダーの厚さ方向の上端面が同一平面上にあり、かつ下端面も同一平面上にあり、刃の厚さ方向の中心は、下端面または上端面からホルダーの厚さの１／１０〜１／２の位置に取り付けられていることが好ましい。
【発明の効果】
【００１２】
本発明では、はさみの使用者が自分の髪を切る場合に使い易く、かつ髪を効率的に切ることができるはさみを提供することができる。
【図面の簡単な説明】
【００１３】
【図１】本発明の第１の実施の形態に係るはさみを閉じた状態の平面図である。
【図２】図１に示すはさみの正面図である。
【図３】図１に示すはさみの右側面図である。
【図４】本発明の第１の実施の形態に係るはさみを開いた状態の平面図である。
【図５】本発明の第２の実施の形態に係るはさみを閉じた状態の平面図である。
【図６】図５に示すはさみの正面図である。
【図７】図５に示すはさみの右側面図である。
【図８】閉じた状態の本発明の第１の実施の形態に係るはさみの指入れ孔に人差し指と中指を挿入した状態を示す図である。
【図９】図８に示した状態から人差し指と中指を開き、はさみを開いた状態を示す図である。
【図１０】従来のはさみを示す図である。
【発明を実施するための形態】
【００１４】
以下、本発明の実施の形態に係るはさみの構成について、図面を参照しながら説明する。
【００１５】
（第１の実施の形態）
図１は、 本発明の第１の実施の形態に係るはさみ１を閉じた状態の平面図である。図２は、図１に示すはさみの正面図である。図３は、図１に示すはさみの右側面図である。
【００１６】
はさみ１は、金属製の平板状の刃２と刃３の一対の刃２，３を有している。そして、刃２，３には、開閉の際の支点側に円形の孔が形成されている（図示省略）。そして、ピン４の中心軸である支点部Ｋ（図１では、便宜上黒丸で示している）を中心に回動可能とされている。支点部Ｋの位置に円形の孔（図示省略）が形成された２枚の押さえ板５は、刃２，３が重なり合っている部分であり、円形の孔が形成されている部分を、外側から刃２，３のそれぞれの面にさらに重ねるように配置されている。そして、ピン４は、刃２，３の円形の孔および２枚の押さえ板５の円形の孔を貫通している。また、ピン４は、中央部分となる各円形の孔を貫通している部分が円柱状であり、その両端部は、刃２，３の円形の孔および２枚の押さえ板５の円形の孔の各径よりも大きい径の円盤状の形状をしている。刃２，３は、中心軸方向から見て部分的に重なり合っている。はさみ１を閉じた状態では、刃２，３が重なり合っている範囲は、支点部Ｋから刃先Ｔに向かうに従い徐々に狭くなっている。支点部Ｋを含む支点構成部は、刃２，３の後端部、ピン４および押さえ板５から形成されている。
【００１７】
また、支点部Ｋから刃２，３の刃先Ｔまでの間であって支点部Ｋに近い側には、刃２，３の開閉動作の方向と直交する方向に段差を持つように刃２，３が折り曲げられた段部６，７が形成されている。段部６の部分では、刃２と刃３の先端側の平板部分から刃２と刃３が約４５度曲げられている。そして、段部７の部分では、段部６の部分とは反対の方向に約４５度曲げられている。この結果、段部７から支点部Ｋまでの範囲の刃２，３と、刃２と刃３の刃先Ｔから段部６までの範囲の刃２，３とは、平行となるように形成されている。
【００１８】
また、刃２，３の段部６から刃先Ｔまでの間であって段部６側（段部６よりも刃先Ｔ側）には、円形の孔８がそれぞれ２つずつ形成されている。孔８は、刃２，３同士が重なり合わない刃２，３の領域に、支点部Ｋから刃先Ｔに向かって２つずつ並べて形成されている。この実施の形態に係るはさみ１の閉じたときの幅Ｗ１は１０ｍｍで、全長Ｌ１は６５ｍｍで、いわゆる刃部とされる先端側平面部の刃長Ｌ２は４０ｍｍで、支点部Ｋ側の平面部の支点側長Ｌ３は１５ｍｍで、段部６，７の内の平面図で見た長さＬ４は１０ｍｍとされている。
【００１９】
孔８の部分には、ポリエチレン系の樹脂成形体であるホルダー１１が取り付けられている。ホルダー１１は、人間の手の指を差し入れ可能な指入れ孔１２が設けられている。ホルダー１１は、孔８にも樹脂が充填されるようにアウトサート成形されている。刃２，３の刃部の高さ方向の中心は、ホルダー１１の指入れ孔１２の中心Ｃ（図３に高さ方向の中心線として示している）の高さ位置に位置している。そして、指入れ孔１２は、刃２，３の支点部Ｋから刃先Ｔに向かう方向に貫通している。指入れ孔１２の断面は、４つの角が曲線とされた、全体が四角形状とされ、上述したように人間の手の指、たとえば人差し指と中指を差し入れ可能な形状としている。
【００２０】
なお、支点部Ｋ、すなわち支点部Ｋの高さ方向の中心Ｍは、上述の段部６，７の存在によって、ホルダー１１の指入れ孔１２の中心に対して高さ方向にずれて配置されている。そして、そのずれＧ１は、ピン４の中心軸の中心、これは上記中心Ｍに相当、を支点部Ｋの位置としたとき、１０ｍｍとされている。ホルダー１１の高さ方向の厚さＷ２は、２８ｍｍとされ、指入れ孔１２の高さ方向の幅Ｗ３は、２０ｍｍとされている。２つのホルダー１１の高さ方向の上端面１４，１４は同一平面となるようにされ、下端面１５，１５も同一平面を形成するように構成されている。また、指入れ孔１２の横方向の幅Ｗ４，Ｗ５は異なる長さとされている。すなわち、太い中指が入る図３の右側の指入れ孔１２の方が長くされている。この実施の形態で、中指用の指入れ孔１２の幅Ｗ４は２５ｍｍとされ、人差し指用の指入れ孔１２の幅Ｗ５は２０ｍｍとされている。しかし、幅Ｗ４，Ｗ５は同一としても良い。また、幅Ｗ３についても中指用（図３の右側）の指入れ孔１２を人差し指用（図３の左側）の指入れ孔１２より大きくしても良い。ここで、指入れ孔１２の幅Ｗ４を２５ｍｍと大きくすることで、親指の挿入を可能としている。すなわち、はさみ１は、人差し指と中指で開閉操作させることも、親指と人差し指で開閉操作させることもできる。
【００２１】
また、ホルダー１１は、支点部Ｋから刃２，３の刃先Ｔまでの距離の約３／５の位置に各刃２，３にそれぞれ１個のみ取り付けられている。この状態を詳細に述べれば、ホルダー１１の長さ方向の中心と刃先Ｔまでの距離Ｌ５が２５ｍｍとされ、はさみ１の支点部Ｋ側の端部からホルダー１１の長さ方向の中心までの距離Ｌ６が４０ｍｍとされ、支点部Ｋからホルダー１１の長さ方向の中心までの距離Ｌ７が３２．５ｍｍとされている。また、ホルダー１１の長さＬ８は、１５ｍｍとされ孔８，８の中心間は８ｍｍとされている。この結果、ホルダー１１の長さ方向の中心は、支点部Ｋと刃先Ｔまでの距離５７．５ｍｍに対して、約３／５である３２．５ｍｍの位置となる。ホルダー１１の長さ方向の中心と支点部Ｋとの距離Ｌ７は、支点部Ｋと刃先Ｔとの距離の４０〜７０％とするのが操作の面で好ましく、５０〜６０％とするのがさらに好ましい。
【００２２】
２つのホルダー１１には、刃２，３を閉じたときに対向する位置にそれぞれ同じ形状の突起状のストッパ１３が形成されている。ストッパ１３は、刃２，３が余分に回動しないようにする役割をする。各ストッパ１３は、直方体状とされているが、円柱状としても良い。ストッパ１３は、一方を長くし、他方を短くした形状としても良い。また、ピン４の上端は、上端面１４，１４と同一高さとなるように配置されているが、上端面１４，１４から飛び出たり、中心Ｃ側に入り込んでも良い。
【００２３】
図４は、はさみ１を開いた状態の平面図である。刃２，３は、図１に示す状態から支点部Ｋを中心に回動している。また、図２では、段部６，７の部分の刃２，３が密着しているように描いているが、実際には両刃２，３の間にはわずかな隙間がある。そのため、はさみ１の開閉の際には、段部６，７の部分の刃２，３がぶつかり合うことなく、その開閉動作はスムーズな動作となる。なお、刃２，３が重なる部分には隙間が生じないようにしても良い。
【００２４】
このはさみ１は、通常は図２に示す状態で自分の頭が下方に来るように配置し髪を切ることとする。しかし、図２に示す状態から上下逆にした状態で下方に来る自分の頭の髪を切るようにしても良い。
【００２５】
（第２の実施の形態）
図５は、本発明の第２の実施の形態に係るはさみ２１を閉じた状態の平面図である。図６は、図５に示すはさみ２１の正面図である。図７は、図５に示すはさみ２１の右側面図である。はさみ２１は、はさみ１が有する段部６，７が無く、刃２，３は略完全な平板となっている。また、はさみ２１の刃２，３は、ホルダー１１の指入れ孔１２の中心Ｃの高さ方向にずれて配置されている。それ以外は、はさみ２１は構成上はさみ１と同じである。よって、図５〜図７では、はさみ１の各要素または部材に相当する要素または部材には同一の符号を付し、それらの説明は省略する。また、はさみ２１の開いた状態は、図４に示すはさみ１を開いた状態と同様の状態となる。
【００２６】
図７に示すように、刃２，３の開閉動作に伴うホルダー１１の動作方向と直交する方向を、ホルダーの厚さＷ２方向とする。その場合、ホルダー１１の厚さＷ２方向の上端面２２が同一平面上にあり、かつ下端面２３も同一平面上にある。そして、刃２，３の厚さＷ６方向の中心Ｐは、下端面２３からホルダー１１の厚さＷ２の１／４の位置に取り付けられている。具体的には、中心Ｐと下端面２３との距離は３〜５ｍｍとされている。そのため、はさみ２１の支点部Ｋの中心Ｐは、ホルダー１１の指入れ孔１２の中心Ｃに対して高さ方向に９〜１１ｍｍずれて配置されている。
【００２７】
このはさみ２１は、図６の状態で人の頭がはさみ２１の下に来るように配置すると、髪は約３〜５ｍｍの長さに切られ、はさみ２１を図６で上下逆転させ、頭がはさみ２１の下に来るように配置すると、髪は指の太さ程度、すなわち２３〜２５ｍｍ程度の長さに切られる。このようにはさみ２１は、上下逆となる２通りの使い方が標準となるものであるため、２つの指入れ孔１２の幅Ｗ４は、Ｗ５と同一の２５ｍｍとされている。そのため、はさみ２１を上下逆となる２通りの使い方をした場合に、その双方の使い方で親指を使用できる。
【００２８】
（本発明の実施の形態によって得られる主な効果）
図８は、閉じた状態のはさみ１の指入れ孔１２に人差し指と中指を挿入した状態を示す図であり、図９は、図８に示した状態から人差し指と中指を開き、はさみ１を開いた状態を示す図である。本発明の実施の形態に係るはさみ１，２１は、いずれも支点部Ｋの高さ方向の中心Ｍ，Ｐがホルダー１１の指入れ孔１２の中心Ｃに対して高さ方向にずれて配置されている。そのため、指入れ孔１２に指を挿入し、刃２，３の刃先Ｔから段部６まで、または刃２，３全体を指と平行にしたとき、支点部Ｋの刃２，３の部分や押え板５を手の甲または手のひらの上に位置させやすくなる。すると、はさみ１，２１は、はさみ１，２１の支点部Ｋおよびその近傍部分を髪を切る領域として使用しやすくなる。また、両指の開き状態と、はさみ１，２１の刃２，３の開き状態が一致している。よって、はさみ１，２１は、はさみ１，２１の使用者が自分の髪を切る場合に指先感覚で使い易く、かつ髪を効率的に切ることができる。なお、支点部Ｋの所の刃２，３は、押さえ板５を手の甲または手のひらの上に位置させることで、はさみ１，２１をそこで支持でき、はさみ１，２１の動作を安定させることができる。
【００２９】
また、従来のはさみ５０は、人差指と中指の間の根元に支点を置くため、刃５４，５４の可動範囲が小さく制約され、刃５４，５４の押付力(スプリングバック)に欠ける。そのため、はさみ５０は、はさみとしての重要な刃と刃の押さえ付け機能が取り難く、仮に大きくした場合には指が開き切った状態になってしまい実用性に乏しいといった問題点があった。しかし、はさみ１，２１は、刃２，３の可動範囲が小さく制約されることがないため、かかる問題点を解消している。
【００３０】
また、はさみ１，２１は、特に自身後頭部の裾刈りに有効であり、指の腹で髪の存在を確認しながら指先で髪を摘む感覚で安全に安心して通常の切れ味にて使用する事が出来る。また、はさみ１，２１は、親指と人差し指とでの使用も可能である。その場合には、人差指と中指とでの使用に比べ、圧倒的に刃２，３の作動ストロークが大きく取れ、使用勝手が極めて良くなる。さらに、はさみ１，２１は、目が不自由な方にも安心して使って頂けると同時に、長期に亘り床屋に行けない状況の方にも便利な器具である。
【００３１】
はさみ１は、支点部Ｋの中心Ｍがホルダー１１の指入れ孔１２の中心Ｃに対して高さ方向に１０ｍｍ、はさみ２１の支点部Ｋの中心Ｐは９〜１１ｍｍずれて配置されている。このずれの範囲は、上述のように支点部Ｋの押さえ板５などを手の甲または手のひらの上に位置させながら刃２，３の刃先Ｔ側を指と平行にするのに適した範囲である。そのような観点から、このずれは、７〜１２ｍｍとされていることが好ましい。
【００３２】
また、はさみ１，２１のホルダー１１は、支点部Ｋから刃２，３の刃先Ｔまでの距離の約３／５、支点部Ｋから刃先Ｔ方向に離れた位置に各刃２，３にそれぞれ１個のみ取り付けられている。そのため、上述のように、刃２，３の長さ方向中央部のみにホルダー１１を配置し、はさみ１，２１の支点部Ｋおよびその近傍部分をも髪を切る領域として使用できる。そのような観点から、このホルダー１１は、支点部Ｋから刃２，３の刃先Ｔまでの距離の１／５以上、支点部Ｋの位置から刃先Ｔ方向に離れた位置に配置することが好ましく、４５％以上とするとさらに好ましい。また、あまりに離れると使いづらいので、支点部Ｋの位置から刃先Ｔまでの距離の８０％以下、好ましくは７０％以下とするのが良い。
【００３３】
また、はさみ１は、支点部Ｋから刃２，３の刃先Ｔまでの間であって支点部Ｋに近い側には、刃２，３の開閉動作の方向と直交する方向に刃２，３が折り曲げられた段部６，７が形成され、段部６，７よりも刃先Ｔ側に、ホルダー１１が取り付けられている。そのため、支点部Ｋの押さえ板５等を手の甲または手のひらの上に位置させながら刃２，３の刃先Ｔから段部６までを指と平行にすることができる。
【００３４】
また、ホルダー１１は、一対の刃２，３を閉じたときに対向する位置にそれぞれ取り付けられており、ホルダー１１の対向する対向面には、対向面同士が所定の距離以上近づかないようにする突起状のストッパ１３が形成されている。そのため、刃２，３の無駄な動作を無くすることができる。
【００３５】
また、はさみ２１は、刃２，３の開閉動作に伴うホルダー１１の動作方向と直交する方向を、ホルダーの厚さＷ２方向とした場合、２つのホルダー１１の厚さＷ２方向の上端面２２が同一平面上にあり、かつ両者の下端面２３も同一平面上にある。そのため、上端面２２または下端面２３を頭に押し付けた状態で髪を切ることができる。そして、刃２，３の厚さＷ６方向の中心Ｐは、下端面２３からホルダー１１の厚さＷ２の１／４の位置に取り付けられている。そのため、上端面２２を頭に押し付けた状態で髪を同じ長さ切る場合に、下端面２３を頭に押し付けた場合と髪を切る長さを異ならせることができる。たとえば、髪を短くしたいときには、下端面２３を頭に押し付けて髪を切り、髪を若干長めにしたいときには、上端面２２を頭に押し付けて髪を切る。
【００３６】
また、ホルダー１１は、孔８にも樹脂が充填されるようにアウトサート成形されている。そのため、ホルダー１１が刃２，３から外れ難い。
【００３７】
（他の形態）
以上、本発明の実施の形態におけるはさみ１，２１について説明したが、本発明の要旨を逸脱しない限り種々変更実施可能である。 たとえば、各実施の形態で示した数値は、それぞれ一例であり、他の数値を採用しても良い。
【００３８】
また、はさみ１，２１は、支点部Ｋを中心に回動可能となっている一対の刃２，３と、人間の手の指を差し入れ可能な指入れ孔１２を有するホルダー１１と、を備えるはさみ１，２１において、支点部Ｋの高さ方向の中心Ｍ，Ｐがホルダー１１の指入れ孔１２の中心Ｃに対して高さ方向にずれて配置されている。
【００３９】
ここで、はさみ１，２１は、支点部Ｋを構成する部分の部材として押さえ板５を有しているが、押さえ板５は省略しても良い。また、ピン４の形状は適宜変更できる。さらに、孔８は、省略しても良いし、円形の形状を四角形状等、他の形状としても良いし、さらには、貫通していない凹部とされていても良い。さらに、ホルダー１１の材質は、ポリエチレン樹脂に限られず、ポリプロピレン樹脂等の樹脂、木材、ガラス、金属、セラミック等、他の材質としても良い。同様に刃２，３も、金属製に限られず、樹脂、木材、ガラス、金属、セラミック等、他の材質としても良い。また、はさみ１，２１の各寸法（Ｗ１〜Ｗ６，Ｇ１，Ｌ１〜Ｌ８）は、適宜変更できる。
【００４０】
また、はさみ１は、支点部Ｋの高さ方向の中心Ｍがホルダー１１の指入れ孔２１の中心Ｃに対して高さ方向に１０ｍｍ、はさみ２１の支点部Ｋの中心Ｐは９〜１１ｍｍずれて配置されている。しかし、このずれの値は、適宜変更できる。ずれは、７〜１２ｍｍとされていることが好ましく、９〜１１ｍｍとされていることがさらに好ましい。
【００４１】
また、ホルダー１１は、支点部Ｋから刃２，３の刃先Ｔまでの距離の３／５、支点部Ｋから刃先Ｔ方向に離れた位置に各刃２，３にそれぞれ１個のみ取り付けられている。しかし、ホルダー１１の取り付け位置は、適宜変更することができる。たとえば、ホルダー１１の取り付け位置は、支点部Ｋから刃２，３の刃先Ｔまでの距離の１／５未満、支点部Ｋから刃先Ｔ方向に離れた位置としても良い。また、ホルダー１１は、刃２，３にそれぞれ２個以上取り付けられていても良い。また、ホルダー１１は、刃２，３の一方に１個、他方に２個取り付けるようにしても良い。また、ホルダー１１の指入れ孔１２，１２は、刃２，３の側方に配置されているが、刃２，３の上方に重なるように形成しても良い。このようにすると、指の可動範囲が広くなる。
【００４２】
また、はさみ１は、支点部Ｋから刃２，３の刃先Ｔまでの間であって支点部Ｋに近い側には、刃２，３の開閉動作の方向と直交する方向に刃２，３が折り曲げられた段部６，７が形成され、段部６，７よりも刃先側に、ホルダー１１が取り付けられている。しかし、この段部６，７は、形成しないこととしても良い。また、ホルダー１１は、段部６，７、または段部６，７よりも支点部Ｋ側に取り付けられていても良い。
【００４３】
また、ホルダー１１は、一対の刃２，３を閉じたときに対向する位置にそれぞれ取り付けられており、ホルダー１１の対向する対向面には、対向面同士が所定の距離以上近づかないようにする突起状のストッパ１３が形成されている。しかし、ホルダー１１は、刃２，３を閉じたときに対向する位置でない位置にそれぞれ取り付けられていても良い。また、ストッパ１３は省略することができる。また、ストッパ１３は、対向するホルダー１１の一方のみに形成されていても良い。またストッパ１３は、支点部Ｋの近くに設けても良い。たとえば、一対の刃２，３の支点部Ｋ側を逆方向に伸ばし、その伸ばした部分にストッパ１３を設けるようにしても良い。
【００４４】
また、はさみ１，２１は、刃２，３の開閉動作に伴うホルダー１１の動作方向と直交する方向を、ホルダーの厚さＷ２方向とした場合、ホルダー１１の厚さＷ２方向の上端面１４，２２が同一平面上にあり、かつ下端面１５，２３も同一平面上にある。しかし、上端面１４，２２、下端面１５，２３は、それぞれ同一平面上にある必要はない。また、はさみ２１の刃２，３の厚さＷ６方向の中心Ｐは、下端面２３からホルダー１１の厚さＷ２の１／４の位置に取り付けられている。しかし、刃２，３の厚さＷ６方向の中心Ｐは、下端面２３からホルダー１１の厚さＷ２の１／４の位置に取り付けられている必要はなく、その位置はたとえば下端面２３または上端面２２からホルダー１１の厚さＷ２の１／１０〜１／２の範囲等で適宜変更できる。
【００４５】
さらに、ホルダー１１は、刃２，３から着脱自在とし、数種類のホルダー１１を用意し、刃２，３の厚さＷ６方向の中心Ｐから下端面２３までの距離を所定距離の間隔で変更できるものとしても良い。このような構成は、はさみ１にも適用できる。
【００４６】
また、図８、図９では、人差し指と中指がはさみ１の指入れ孔１２に挿入されているが、はさみ１，２１は、親指と人差し指、中指と薬指、薬指と小指で操作しても良い。また、図８、図９では、はさみ１の刃先Ｔが人差し指と中指から突出していないが、刃２，３は、使用する指の長さを超えて突出することとしても良い。ただし、図８、図９に示すように、はさみ１の刃先Ｔが人差し指と中指から突出していることが好ましい。この理由は、はさみ１，２１の安全面および操作の容易性に配慮すべきだからである。刃先Ｔよりも指の外にある刃２，３の部分は、指先感覚での制御がきかず、たとえば、使用者が自身の後頭部の髪を切るときは、余分な長さの髪を切ってしまうおそれがある。
【符号の説明】
【００４７】
１，２１  はさみ
２，３  刃
６，７  段部
１１  ホルダー
１２  指入れ孔（孔）
１３  ストッパ
１４，２２  上端面
１５，２３  下端面
Ｃ  指入れ孔の中心
Ｋ  支点部
Ｗ２  ホルダーの厚さ
Ｗ６  刃の厚さ
Ｍ，Ｐ  刃の厚さ方向の中心
Ｔ  刃先
【図１】
2011110163.tif 000003
【図２】
2011110163.tif 000004
【図３】
2011110163.tif 000005
【図４】
2011110163.tif 000006
【図５】
2011110163.tif 000007
【図６】
2011110163.tif 000008
【図７】
2011110163.tif 000009
【図８】
2011110163.tif 000010
【図９】
2011110163.tif 000011
【図１０】
2011110163.tif 000012
【手続補正書】
【提出日】平成22年8月17日(2010.8.17)
【手続補正１】
【補正対象書類名】特許請求の範囲
【補正対象項目名】請求項１
【補正方法】変更
【補正の内容】
【請求項１】
支点部を中心に回動可能となっている一対の刃と、上記それぞれの刃の刃同士が重なり合わない領域に取り付けられたホルダーと、上記各ホルダーに設けられ、上記支点部から刃先に向かう方向に貫通し、人間の手の指が差し入れ可能な孔と、を備えるはさみにおいて、
上記一対の刃の開閉動作の方向と直交する方向における上記支点部の中心と、上記一対の刃の開閉動作の方向と直交する方向における上記孔の中心とは、上記一対の刃の開閉動作の方向と直交する方向においてずれて配置され、
上記一対の刃のそれぞれに取り付けられた上記ホルダーの上記直交する方向の両端面の一方に頭が来るように配置されて髪を切る場合と、上記両端面の他方に頭が来るように配置されて髪を切る場合のいずれもが可能とされ、そのいずれかを選択することで、髪を切る長さを異ならせることができるように構成されていることを特徴とするはさみ。
【手続補正２】
【補正対象書類名】明細書
【補正対象項目名】０００６
【補正方法】変更
【補正の内容】
【０００６】
上記目的を達成するため、本発明のはさみは、支点部を中心に回動可能となっている一対の刃と、それぞれの刃の刃同士が重なり合わない領域に取り付けられたホルダーと、各ホルダーに設けられ、支点部から刃先に向かう方向に貫通し、人間の手の指が差し入れ可能な孔と、を備えるはさみにおいて、一対の刃の開閉動作の方向と直交する方向における支点部の中心と、一対の刃の開閉動作の方向と直交する方向における孔の中心とは、一対の刃の開閉動作の方向と直交する方向においてずれて配置され、一対の刃のそれぞれに取り付けられたホルダーの直交する方向の両端面の一方に頭が来るように配置されて髪を切る場合と、両端面の他方に頭が来るように配置されて髪を切る場合のいずれもが可能とされ、そのいずれかを選択することで、髪を切る長さを異ならせることができるように構成されているものである。
【手続補正書】
【提出日】平成23年1月26日(2011.1.26)
【手続補正１】
【補正対象書類名】特許請求の範囲
【補正対象項目名】請求項１
【補正方法】変更
【補正の内容】
【請求項１】
支点部を中心に回動可能となっている一対の刃と、上記それぞれの刃の刃同士が重なり合わない領域に取り付けられたホルダーと、上記各ホルダーに設けられ、上記支点部から刃先に向かう方向に貫通し、人間の手の指が差し入れ可能な孔と、を備えるはさみにおいて、
上記一対の刃は使用者自身の髪を切るものであり、
上記一対の刃の開閉動作の方向と直交する方向における上記支点部の中心と、上記一対の刃の開閉動作の方向と直交する方向における上記孔の中心とは、上記一対の刃の開閉動作の方向と直交する方向においてずれて配置され、
上記一対の刃のそれぞれに取り付けられた上記ホルダーの上記直交する方向の両端面の一方に頭が来るように配置されて髪を切る場合と、上記両端面の他方に頭が来るように配置されて髪を切る場合のいずれもが可能とされ、そのいずれかを選択することで、髪を切る長さを異ならせることができるように構成されていることを特徴とするはさみ。
【手続補正２】
【補正対象書類名】明細書
【補正対象項目名】０００６
【補正方法】変更
【補正の内容】
【０００６】
上記目的を達成するため、本発明のはさみは、支点部を中心に回動可能となっている一対の刃と、それぞれの刃の刃同士が重なり合わない領域に取り付けられたホルダーと、各ホルダーに設けられ、支点部から刃先に向かう方向に貫通し、人間の手の指が差し入れ可能な孔と、を備えるはさみにおいて、一対の刃は使用者自身の髪を切るものであり、一対の刃の開閉動作の方向と直交する方向における支点部の中心と、一対の刃の開閉動作の方向と直交する方向における孔の中心とは、一対の刃の開閉動作の方向と直交する方向においてずれて配置され、一対の刃のそれぞれに取り付けられたホルダーの直交する方向の両端面の一方に頭が来るように配置されて髪を切る場合と、両端面の他方に頭が来るように配置されて髪を切る場合のいずれもが可能とされ、そのいずれかを選択することで、髪を切る長さを異ならせることができるように構成されているものである。
【手続補正書】
【提出日】平成23年2月10日(2011.2.10)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
支点部を中心に回動可能となっている一対の刃と、上記それぞれの刃の刃同士が重なり合わない領域に取り付けられたホルダーと、上記各ホルダーに設けられ、上記支点部から刃先に向かう方向に貫通し、人間の手の指が差し入れ可能な孔と、を備えるはさみにおいて、
上記一対の刃は使用者自身の髪を切るものであり、
上記一対の刃の開閉動作の方向と直交する方向における上記支点部の中心と、上記一対の刃の開閉動作の方向と直交する方向における上記孔の中心とは、上記一対の刃の開閉動作の方向と直交する方向においてずれて配置され、
上記一対の刃のそれぞれに取り付けられた上記ホルダーの上記直交する方向の両端面の一方に頭が来るように配置されて髪を切る場合と、上記両端面の他方に頭が来るように配置されて髪を切る場合のいずれもが可能とされ、そのいずれかを選択することで、髪を切る長さを異ならせることができるように構成されていることを特徴とするはさみ。
【請求項２】
請求項１記載のはさみにおいて、
前記ずれは、７〜１２ｍｍとされ、前記ホルダーの孔の中心とその中心に近い側の前記支点部の端面との距離が５〜１０ｍｍとされていることを特徴とするはさみ。
【請求項３】
請求項１または２記載のはさみにおいて、
前記ホルダーは、前記支点部の位置から前記刃の刃先までの距離の１／５以上、前記支点部の位置から上記刃先方向に離れた位置に各刃に１個のみ取り付けられていることを特徴とするはさみ。
【請求項４】
請求項１から３のいずれか１項に記載のはさみにおいて、
前記支点部から前記刃の刃先までの間であって前記支点部に近い側には、前記刃の開閉動作の方向と直交する方向に前記刃が折り曲げられた段部が形成され、上記段部よりも上記刃先側に、前記ホルダーが取り付けられていることを特徴とするはさみ。
【請求項５】
請求項１から４のいずれか１項に記載のはさみにおいて、
前記ホルダーは、前記一対の刃を閉じたときに対向する位置にそれぞれ取り付けられており、前記ホルダーの上記対向する対向面には、上記対向面同士が所定の距離以上近づかないようにする突起状のストッパが形成されていることを特徴とするはさみ。
【請求項６】
請求項１から５のいずれか１項に記載のはさみにおいて、
前記刃の開閉動作に伴う前記ホルダーの動作方向と直交する方向を、前記ホルダーの厚さ方向とした場合、全ての前記ホルダーの厚さ方向の上端面が同一平面上にあり、かつ下端面も同一平面上にあり、前記刃の厚さ方向の中心は、上記下端面または上記上端面から前記ホルダーの厚さの１／１０〜１／２の位置に取り付けられていることを特徴とするはさみ。